(57)【要約】【課題】圃場などに利用が制限されることなく、一般的な街中での利用に供することが可能な誘虫防止ライトを提供する。【解決手段】本発明に係る誘虫防止ライト１０は、第１光量の光を照射する主光源９と、前記主光源の周辺に配され、前記主光源９が照射する第１光量よりも少ない第２光量で光を照射すると共に、所定の周波数で点滅する副光源２０と、からなることを特徴とする。【選択図】      図２
2019092416.tif 000002
【特許請求の範囲】
【請求項１】
第１光量の光を照射する主光源と、
前記主光源の周辺に配され、前記主光源が照射する第１光量よりも少ない第２光量で光を照射すると共に、所定の周波数で点滅する副光源と、からなることを特徴とする誘虫防止ライト。
【請求項２】
前記副光源が複数設けられることを特徴とする請求項１に記載の誘虫防止ライト。
【請求項３】
前記副光源による照射光が、前記主光源に入射されるように、前記主光源と前記副光源とが配されてなることを特徴とする請求項１又は請求項２に記載の誘虫防止ライト。
【請求項４】
前記副光源による照射光は、誘引を防止する対象の昆虫が忌避する光の波長を含むことを特徴とする請求項１乃至請求項３のいずれか１項に記載の誘虫防止ライト。
【請求項５】
前記副光源による照射光が白色光であることを特徴とする請求項１乃至請求項４のいずれか１項に記載の誘虫防止ライト。
【発明の詳細な説明】
【技術分野】
【０００１】
本発明は、マンションエントランスや道路等に設置する照明器具に用いるライトとして、可能な限り虫の誘引を防止することができる誘虫防止ライトに関する。
【背景技術】
【０００２】
従来、昆虫が忌避する光によって、圃場に対して虫の侵入を防止しようとする試みがなされている。
【０００３】
例えば、特許文献１（特開２０１６−１５４４８１号公報）には、防虫領域への害虫の侵入または防虫領域での害虫の行動を点滅照明により抑制する防虫方法であって、点滅照明は、主方向が防虫領域の外側に向いた、１あるいは複数個の光源を用いて行うものが開示されている。
【特許文献１】特開２０１６−１５４４８１号公報
【発明の概要】
【発明が解決しようとする課題】
【０００４】
特許文献１記載の従来の点滅照明においては、点滅の周波数が０．２Ｈｚ以上２０Ｈｚ以下とされている。このような周波数で点滅する点滅照明は、人の目に入るとチカチカして不快感を生じさせてしまうことがあり、従来の点滅照明は、圃場など一般の人が立ち入らない場所でしか使用することができない、という問題があった。
【課題を解決するための手段】
【０００５】
この発明は、上記のような問題を解決するものであって、本発明に係る誘虫防止ライトは、第１光量の光を照射する主光源と、前記主光源の周辺に配され、前記主光源が照射する第１光量よりも少ない第２光量で光を照射すると共に、所定の周波数で点滅する副光源と、からなることを特徴とする。
【０００６】
また、本発明に係る誘虫防止ライトは、前記副光源が複数設けられることを特徴とする。
【０００７】
また、本発明に係る誘虫防止ライトは、前記副光源による照射光が、前記主光源に入射されるように、前記主光源と前記副光源とが配されてなることを特徴とする。
【０００８】
また、本発明に係る誘虫防止ライトは、前記副光源による照射光は、誘引を防止する対象の昆虫が忌避する光の波長を含むことを特徴とする。
【０００９】
また、本発明に係る誘虫防止ライトは、前記副光源による照射光が白色光であることを特徴とする。
【発明の効果】
【００１０】
本発明に係る誘虫防止ライトは、主光源と、前記主光源が照射する第１光量よりも少ない第２光量で光を照射すると共に、所定の周波数で点滅する副光源とからなり、このような本発明に係る誘虫防止ライトによれば、所定の周波数で点滅し、虫の忌避光となる副光源は、主光源と共に用いられることから、可能な限り虫の誘引を防止しつつも、人の目に入ったとしても不快感を生じさせてしまうことはなく、圃場などに利用が制限されることなく、一般的な街中や郊外での利用に供することが可能となる。
【図面の簡単な説明】
【００１１】
【図１】従来のライト１の構成を示す図である。
【図２】本発明の実施形態に係る誘虫防止ライト１０の概要を説明する図である。
【図３】本発明の他の実施形態に係る誘虫防止ライト１０の概要を説明する図である。
【発明を実施するための形態】
【００１２】
以下、本発明の実施の形態を図面を参照しつつ説明する。まずは、従来のライト１について説明する。図１は従来のライト１の構成を示す図であり、マンションエントランスや道路に設置される一般的な照明器具である。
【００１３】
ライト１は、一般的に地上に立設される支柱部２と、この支柱部２から延出する支持部材３と、この支持部材３によって支えられる本体部５とから概略構成されている。本体部５は比較的高所で支持されて利用されることが想定されており、本体部５の下方側に窓部６が設けられている。
【００１４】
本体部５に設けられている窓部６は略透明であり、この窓部６内には主光源９が埋設されている。これらの主光源９により、ライト１は窓部６の下方側を照光するようになっている。本実施形態では、窓部６内には６つの主光源９が設けられているが、設ける主光源９の数がこれに限定される分けではない。
【００１５】
また、本体部５内において主光源９の周囲には反射部材などを配置して、窓部６から本体部５の外部へ透過する光の光量を増加させるようにすることも好ましい。この主光源９に用いる光源としては、例えば、ＬＥＤにより構成されるＬＥＤライトや、蛍光灯、白熱電球、水銀灯、ナトリウム灯などを用いることができる。
【００１６】
上記のような従来の一般的なライト１に対して、本発明に係る誘虫防止ライト１０は、以下のような構成を有している。図２は本発明の実施形態に係る誘虫防止ライト１０の概要を説明する図である。
【００１７】
ここで、図２に示す本実施形態に係る誘虫防止ライト１０においては、従来のライト１にアタッチメントを補助的に追加することで構成するようにしている。このような構成とすることで、既設のライト１を、本発明に係る誘虫防止ライト１０として用いることができるようになる。しかしながら、既設のライト１を用いずとも、当初より本発明に係る誘虫防止ライト１０を構成するようにしてもよい。
【００１８】
アタッチメント部１４は、カタカナのロ字状の矩形枠体で、枠体の内周部の寸法が、窓部６の外周部の寸法に略一致するようになっている。アタッチメント部１４の一方の主面には、複数の副光源２０が埋設されるようにして設けられている。本実施形態では、アタッチメント部１４には２２個の副光源２０が埋設されているが、この数に特段の制限があるわけではなく、１以上であれば任意である。また、アタッチメント部１４は、アタッチメント部１４の他方の主面側で窓部６周囲の本体部５に取り付けられている。また、アタッチメント部１４の形状は、光源の枠体の形やデザインによって決めればよく、楕円形など任意の形を取ることができる。
【００１９】
副光源２０としては、ライト１の主光源９が照射する第１光量よりも少ない第２光量で光を照射するようになっている。さらに、副光源２０は、所定の周波数で点滅する光源が用いられる。副光源２０に用いる光源としては、所望の周波数で点滅するように調光できる光源であればどのような光源でも用いることができる。副光源２０の点滅周波数としては、誘引を防止する対象の昆虫の種類に応じて、０．１Ｈｚ〜１００Ｈｚ程度の周波数を採用することができる。さらに、副光源２０としては、誘引を防止する対象の昆虫が忌避する光の波長を含むようにする。上記のような特性を満たす光源として副光源２０には、ＬＥＤライトや、蛍光灯、キセノンランプなどを用いるようにする。これらの光源を点滅させるための電気回路は従来周知のものを適宜利用することができる。
【００２０】
本発明に係る誘虫防止ライト１０においては、副光源２０は０．１Ｈｚ〜１００Ｈｚ程度の周波数で点滅するものの、副光源２０が照射する光量より多い光量で照射を行う主光源９が用いられるので、誘虫防止ライト１０による点滅照明が人の目に入りチカチカして不快感を生じさせてしまうようなことがない。
【００２１】
例えば、本発明に係る誘虫防止ライト１０によって、ヤガの誘引を防止したい場合には、副光源２０に５７０−５９０ｎｍの波長域を有する光源を用いる。しかしながら、一般的な白色光を光源として用いても、副光源２０の点滅周波数を適切に設定することで、昆虫の誘引を防止することができる。
【００２２】
以上のように、本発明に係る誘虫防止ライト１０は、主光源９と、主光源９が照射する第１光量よりも少ない第２光量で光を照射すると共に、所定の周波数で点滅する副光源２０とからなり、このような本発明に係る誘虫防止ライト１０によれば、所定の周波数で点滅し、虫の忌避光となる副光源２０は、主光源９と共に用いられることから、可能な限り虫の誘引を防止しつつも、人の目に入ったとしても不快感を生じさせてしまうことはなく、圃場などに利用が制限されることなく、一般的な街中や郊外での利用に供することが可能となる。
【００２３】
次に、本発明の他の実施形態について説明する。図３は本発明の他の実施形態に係る誘虫防止ライト１０の概要を説明する図である。図３に示す本実施形態に係る誘虫防止ライト１０においても、従来のライト１にアタッチメントを補助的に追加することで構成するようにしている。
【００２４】
本実施形態では、このようなアタッチメントとしては、本体部５から延出するようにして設けられるアーム部２５と、このアーム部２５の先端に取り付けられる副光源２０とからなるものを用いることができる。本実施形態では、アーム部２５を用いることで副光源２０による照射光が、主光源９に入射されるように、副光源２０が配されている。したがって、図示するように、実質的に副光源２０の照射光の主方向が、水平より上向きの方向に向けられる。
【００２５】
このような実施形態では、副光源２０による照射光は主光源９に入射されるように向けられており、副光源２０による点滅照明が人の目に入りチカチカして不快感を生じさせてしまうようなことがなく、一方で、可能な限り虫の誘引を防止することができる街中や郊外など一般的な環境で利用可能な誘虫防止ライト１０を提供することができる。
【００２６】
以上、本発明に係る誘虫防止ライトは、主光源と、前記主光源が照射する第１光量よりも少ない第２光量で光を照射すると共に、所定の周波数で点滅する副光源とからなり、このような本発明に係る誘虫防止ライトによれば、所定の周波数で点滅し、虫の忌避光となる副光源は、主光源と共に用いられることから、可能な限り虫の誘引を防止しつつも、人の目に入ったとしても不快感を生じさせてしまうことはなく、圃場などに利用が制限されることなく、一般的な街中や郊外での利用に供することが可能となる。
【符号の説明】
【００２７】
１・・・ライト
２・・・支柱部
３・・・支持部材
５・・・本体部
６・・・窓部
９・・・主光源
１０・・・誘虫防止ライト
１４・・・アタッチメント部
２０・・・副光源
２５・・・アーム部
【図１】
2019092416.tif 000003
【図２】
2019092416.tif 000004
【図３】
2019092416.tif 000005